(57)【要約】【課題】物品搬入用の開口部の存在を認識させにくくして、セキュリティ性を向上させることが可能なドア装置を提供することを目的とする。【解決手段】ドア枠２と、当該ドア枠２の内側に設けられるとともに物品搬入用の開口部４ａ，４ｂが形成されたドア本体３と、を備えたドア装置１において、ドア本体３の外面側には、複数の化粧板材５が並べられて設けられており、複数の化粧板材５のうち、いずれかの化粧板材５が開口部４ａ，４ｂを開閉可能に覆い隠す外扉５ａ，５ｂとされている。【選択図】図１
2019019603.tif 000002
【特許請求の範囲】
【請求項１】
物品搬入用の開口部が形成されたドア本体を備えたドア装置において、
前記ドア本体の外面側には、複数の化粧板材が並べられて設けられており、
前記複数の化粧板材のうち、いずれかの化粧板材が前記開口部を開閉可能に覆い隠す外扉とされていることを特徴とするドア装置。
【請求項２】
請求項１に記載のドア装置において、
前記外扉は、当該外扉の周縁部が、前記開口部の周縁部よりも面方向外側に位置する大きさに設定されていることを特徴とするドア装置。
【請求項３】
請求項１又は２に記載のドア装置において、
前記ドア本体は、回転軸を中心にして回転する開き戸用であり、
前記開口部における左右方向の中心部は、前記ドア本体における左右方向の中心部よりも吊元側に位置していることを特徴とするドア装置。
【請求項４】
請求項３に記載のドア装置において、
前記ドア本体が内側に設けられるドア枠を更に備え、
前記ドア本体は、前記回転軸を構成する蝶番を介して前記ドア枠に取り付けられ、
前記蝶番は、前記ドア枠と前記ドア本体との間の上下方向に少なくとも三つ以上設けられ、これら三つ以上の蝶番のうち、少なくとも二つ以上の蝶番が前記開口部の上端縁よりも上方に位置していることを特徴とするドア装置。
【請求項５】
請求項１〜４のいずれか一項に記載のドア装置において、
前記ドア本体に設けられ、前記開口部から搬入された物品を収納可能な収納部を更に備え、
前記収納部は、前記開口部とは反対側の端部が物品搬出口として開口しており、
前記収納部における前記物品搬出口側の端部には、前記物品搬出口を開閉する内扉が設けられており、
前記外扉の解錠時には前記内扉が施錠状態となり、前記内扉の解錠時には前記外扉が施錠状態となるロック機構を更に備えることを特徴とするドア装置。
【請求項６】
請求項５に記載のドア装置において、
前記収納部は、複数の領域に区画され、
前記開口部及び前記物品搬出口のそれぞれは、前記収納部の前記複数の領域に対応して複数設けられ、
前記外扉は、複数設けられた前記開口部に対応して複数用いられ、
前記内扉は、複数設けられた前記物品搬出口を一括で開閉可能な大きさに設定されていることを特徴とするドア装置。
【請求項７】
請求項５又は６に記載のドア装置において、
前記収納部は、前記ドア本体の内面側に突出して形成されており、
前記内扉は、前記ドア本体の内面に設けられたドアハンドルに向かうにつれて前記内面側に傾斜するように形成されていることを特徴とするドア装置。
【発明の詳細な説明】
【技術分野】
【０００１】
本発明は、建物の出入用開口部に設けられるドア装置に関する。
【背景技術】
【０００２】
従来、物品の搬入に使用される開口部がドア本体に形成され、その開口部を開閉する補助ドアが設備されたドア装置として、例えば特許文献１に記載のものが知られている。
特許文献１のドア装置における補助ドアは、ドア本体の室外側に設けられて室外側に開放される外扉と、ドア本体の室内側に設けられて室内側に開放される内扉と、ドア本体の外扉と内扉との間に設けられて室外側または室内側に開放される中扉と、中扉の閉鎖をロックする中扉ロック部とを備えた構成となっている。このようなドア装置によれば、ドア本体に形成された開口部を通じて物品を搬入できるので利便性に優れ、かつ、中扉ロックによって中扉をロックできるのでセキュリティ性にも優れる。
【先行技術文献】
【特許文献】
【０００３】
【特許文献１】特許第５３７８０８２号公報
【発明の概要】
【発明が解決しようとする課題】
【０００４】
ところで、物品搬入用の開口部があるドア装置については、開口部を介して室内と室外とが連通した状態となるため、セキュリティ性の向上が望まれていた。
しかしながら、従来のようなドア装置の場合は、来訪者がドア装置を見た際に、外扉自体が、この外扉のある位置に開口部があることを来訪者に推測させてしまう要因となるため、開口部の存在を認識させにくくすることが求められていた。
【０００５】
本発明は上記事情に鑑みてなされたものであり、物品搬入用の開口部の存在を認識させにくくして、セキュリティ性を向上させることが可能なドア装置を提供することを目的とする。
【課題を解決するための手段】
【０００６】
請求項１に記載の発明は、例えば図１〜図６，図９に示すように、物品搬入用の開口部４ａ，４ｂが形成されたドア本体３を備えたドア装置１において、
前記ドア本体３の外面側には、複数の化粧板材５が並べられて設けられており、
前記複数の化粧板材５のうち、いずれかの化粧板材５が前記開口部４ａ，４ｂを開閉可能に覆い隠す外扉５ａ，５ｂとされていることを特徴とする。
【０００７】
請求項１に記載の発明によれば、ドア本体３の外面側に並べられて設けられた複数の化粧板材５のうち、いずれかの化粧板材５が、物品搬入用の開口部４ａ，４ｂを開閉可能に覆い隠す外扉５ａ，５ｂとされているので、外扉５ａ，５ｂとされた化粧板材５が、他の化粧板材５によってカモフラージュされた状態となる。これにより、例えば来訪者がドア装置１を見た場合であっても、開口部４ａ，４ｂの存在を知らない来訪者に対しては、開口部４ａ，４ｂの存在を認識させにくくすることができるので、セキュリティ性を向上させることが可能となる。
【０００８】
請求項２に記載の発明は、例えば図１〜図６，図９に示すように、請求項１に記載のドア装置１において、
前記外扉５ａ，５ｂは、当該外扉５ａ，５ｂの周縁部が、前記開口部４ａ，４ｂの周縁部よりも面方向外側に位置する大きさに設定されていることを特徴とする。
【０００９】
請求項２に記載の発明によれば、外扉５ａ，５ｂは、当該外扉５ａ，５ｂの周縁部が、開口部４ａ，４ｂの周縁部よりも面方向外側に位置する大きさに設定されているので、外扉５ａ，５ｂによって開口部４ａ，４ｂの全体を覆い隠すことができる。そのため、開口部４ａ，４ｂの存在をより認識させにくくすることができる。
【００１０】
請求項３に記載の発明は、例えば図１〜図６，図９に示すように、請求項１又は２に記載のドア装置１において、
前記ドア本体３は、回転軸を中心にして回転する開き戸用であり、
前記開口部４ａ，４ｂにおける左右方向の中心部は、前記ドア本体３における左右方向の中心部よりも吊元側に位置していることを特徴とする。
【００１１】
請求項３に記載の発明によれば、開口部４ａ，４ｂにおける左右方向の中心部は、ドア本体３における左右方向の中心部よりも吊元側に位置しているので、例えばドア本体３に対して開口部４ａ，４ｂから搬入された物品Ａを収納可能な収納部６が設けられた場合であって、かつ、収納部６に収納された物品Ａが重量物であっても、その物品Ａの重量によってドア装置１に構造的な問題が生じにくくなる。すなわち、ドア本体３が吊元とは反対側（手先側）に傾きにくくなるので、ドア本体３を支持する箇所（例えば後述するドア枠２）に対して歪みが生じにくくなる。
【００１２】
請求項４に記載の発明は、例えば図１に示すように、請求項３に記載のドア装置１において、
前記ドア本体３が内側に設けられるドア枠２を更に備え、
前記ドア本体３は、前記回転軸を構成する蝶番２ａを介して前記ドア枠２に取り付けられ、
前記蝶番２ａは、前記ドア枠２と前記ドア本体３との間の上下方向に少なくとも三つ以上設けられ、これら三つ以上の蝶番２ａのうち、少なくとも二つ以上の蝶番２ａが前記開口部４ａ，４ｂの上端縁よりも上方に位置していることを特徴とする。
【００１３】
請求項４に記載の発明によれば、回転軸を構成する蝶番２ａは、ドア枠２とドア本体３との間の上下方向に少なくとも三つ以上設けられ、これら三つ以上の蝶番２ａのうち、少なくとも二つ以上の蝶番２ａが開口部４ａ，４ｂの上端縁よりも上方に位置しているので、物品Ａの重量の負担がかかるドア枠２とドア本体３との間の上部側を、複数の蝶番２ａによって連結することができる。これにより、ドア本体３が吊元とは反対側（手先側）により傾きにくくなるので、ドア枠２に歪みが生じにくくなり、ドア枠２やドア本体３に構造的な問題が生じにくくなる。
【００１４】
請求項５に記載の発明は、例えば図３〜図６に示すように、請求項１〜４のいずれか一項に記載のドア装置１０において、
前記ドア本体１３に設けられ、前記開口部１４ａ，１４ｂ，１４ｃから搬入された物品Ａを収納可能な収納部１６を更に備え、
前記収納部１６は、前記開口部１４ａ，１４ｂ，１４ｃとは反対側の端部が物品搬出口１６ｄ，１６ｅ，１６ｆとして開口しており、
前記収納部１６における前記物品搬出口１６ｄ，１６ｅ，１６ｆ側の端部には、前記物品搬出口１６ｄ，１６ｅ，１６ｆを開閉する内扉１７が設けられており、
前記外扉１５ｂ，１５ｃの解錠時には前記内扉１７が施錠状態となり、前記内扉１７の解錠時には前記外扉１５ｂ，１５ｃが施錠状態となるロック機構１８を更に備えることを特徴とする。
【００１５】
請求項５に記載の発明によれば、外扉１５ｂ，１５ｃの解錠時には内扉１７が施錠状態となり、内扉１７の解錠時には外扉１５ｂ，１５ｃが施錠状態となるロック機構１８を備えるので、物品Ａの搬入時には内扉１７が施錠状態となり、物品Ａの搬出時には外扉１５ｂ，１５ｃが施錠状態となる。そのため、物品Ａの搬入時及び搬出時におけるセキュリティ性の向上を図ることができる。
【００１６】
請求項６に記載の発明は、例えば図３〜図６に示すように、請求項５に記載のドア装置１０において、
前記収納部１６は、複数の領域１６ａ，１６ｂ，１６ｃに区画され、
前記開口部１４ａ，１４ｂ，１４ｃ及び前記物品搬出口１６ｄ，１６ｅ，１６ｆのそれぞれは、前記収納部１６の前記複数の領域１６ａ，１６ｂ，１６ｃに対応して複数設けられ、
前記外扉１５ａ，１５ｂ，１５ｃは、複数設けられた前記開口部１４ａ，１４ｂ，１４ｃに対応して複数用いられ、
前記内扉１７は、複数設けられた前記物品搬出口１６ｄ，１６ｅ，１６ｆを一括で開閉可能な大きさに設定されていることを特徴とする。
【００１７】
請求項６に記載の発明によれば、外扉１５ａ，１５ｂ，１５ｃは、複数設けられた開口部１４ａ，１４ｂ，１４ｃに対応して複数用いられ、内扉１７は、複数設けられた物品搬出口１６ｄ，１６ｅ，１６ｆを一括で開閉可能な大きさに設定されているので、内扉１７によって、複数の物品搬出口１６ｄ，１６ｅ，１６ｆを一括で開閉することができる。これにより、収納部１６における複数の領域１６ａ，１６ｂ，１６ｃのどこに物品が収納されているかに関わりなく内扉１７を開けて、収納部１６に収納された物品Ａを搬出することができるため、利便性に優れる。
【００１８】
請求項７に記載の発明は、例えば図６に示すように、請求項５又は６に記載のドア装置１０において、
前記収納部１６は、前記ドア本体１３の内面側に突出して形成されており、
前記内扉１７は、前記ドア本体１３の内面に設けられたドアハンドル１３ａに向かうにつれて前記内面側に傾斜するように形成されていることを特徴とする。
【００１９】
請求項７に記載の発明によれば、収納部１６は、ドア本体１３の内面側に突出して形成されており、内扉１７は、ドア本体１３の内面に設けられたドアハンドル１３ａに向かうにつれて内面側に傾斜するように形成されているので、収納部１６がドア本体１３の内面側に突出して形成されていても、当該収納部１６がドアハンドル１３ａの操作の妨げになりにくくなる。また、収納部１６における奥行き寸法が、内扉１７の形状に合わせ、ドアハンドル１３ａに向かうにつれて狭くなり、ドアハンドル１３ａから離れるにつれて広くなるので、様々な大きさ（奥行き寸法）の物品Ａに対応した収納を行うことができる。
【発明の効果】
【００２０】
本発明によれば、物品搬入用の開口部の存在を認識させにくくして、セキュリティ性を向上させることが可能となる。
【図面の簡単な説明】
【００２１】
【図１】第１実施形態のドア装置を示す正面図である。
【図２】図１におけるドア装置のII−II線断面図である。
【図３】第２実施形態のドア装置を示す正面図及び背面図である。
【図４】第２実施形態のドア装置における要部拡大側断面図である。
【図５】収納部の別パターンを示す背面図である。
【図６】第２実施形態のドア装置における要部拡大平断面図である。
【図７】ロック機構の変形例を示す図である。
【図８】図６のロック機構によるロックの手順を示す図である。
【図９】ドア装置の外面に設けられた複数の化粧板材の変形例を示す図である。
【図１０】ドア装置の外面に設けられた複数の化粧板材の変形例を示す図である。
【図１１】内扉におけるロックの変形例を示す背面図及び側面図である。
【図１２】内扉におけるロックの変形例を示す断面図である。
【発明を実施するための形態】
【００２２】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２３】
［第１実施形態］
図１，図２において符号１は、ドア装置を示す。このドア装置１は、住宅を始めとする種々の建物の出入用開口部（図示せず）に設けられ、当該出入用開口部を開放・閉塞するものであり、本実施形態においては、回転軸を中心にして回転する片開き戸である。
このようなドア装置１は、ドア枠２と、ドア本体３と、収納部６と、ロック機構と、を備えている。
【００２４】
ドア枠２は、建物の出入用開口部に設けられている。なお、本実施形態における出入用開口部は、住宅の外壁に形成された開口部であり、人の通行が可能となっている。すなわち、本実施形態における出入用開口部は、玄関や勝手口における出入口である。ドア枠２は、このような出入用開口部に対して設けられている。ただし、これに限られるものではなく、部屋の出入用開口部に対して設けられるものとしてもよい。
【００２５】
ドア本体３は、ドア枠２の内側に設けられて、建物の出入用開口部を開放したり、閉塞したりするものである。
このドア本体３は、回転軸を構成する複数の蝶番２ａを介してドア枠２に取り付けられている。蝶番２ａは、ドア枠２とドア本体３との間の上下方向に少なくとも３つ以上設けられるものとされ、本実施形態における蝶番２ａは、ドア枠２とドア本体３との間の上下方向に３つ設けられている。
【００２６】
また、ドア本体３には、物品搬入用の開口部４が複数形成されている。これら複数の開口部４（４ａ，４ｂ）は、ドア本体３に対し、上下に並んで形成されており、ドア本体３によって出入用開口部が閉塞された状態で屋外と屋内とを連通することができる。なお、本実施形態においては、２つの開口部４ａ，４ｂがドア本体３に対して上下に並んで形成されている。
【００２７】
また、ドア本体３には、錠３ｂ，３ｃの近傍に位置し、ドア本体３の開閉時に人が把持するドアハンドル３ａが設けられている。このドアハンドル３ａは、例えば押したり、引いたり、回転させたりすることでラッチボルト（図示せず）を操作することができる。ドアハンドル３ａは、ドア本体３の外面側（一面側と称してもよい。）と内面側（他面側と称してもよい。）の双方に設けられている。
【００２８】
ドア本体３の外面側には、複数の化粧板材５（５ａ，５ｂ，５ｃ，５ｄ）が並べられて設けられている。
そして、これら複数の化粧板材５のうち、いずれかの化粧板材が、物品搬入用の開口部４ａ，４ｂを開閉可能に覆い隠す外扉５ａ，５ｂとされている。
本実施形態においては、ドア本体３の下部に開口部４ａ，４ｂが形成されており、これら開口部４ａ，４ｂのそれぞれを覆い隠すようにして外扉５ａ，５ｂが設けられている。すなわち、本実施形態においては、図１，図２に示すように、上下に並んで設けられた５枚の化粧板材５のうち、下２つの化粧板材５が、外扉５ａ，５ｂとされている。
【００２９】
また、上下に並んで設けられた５枚の化粧板材５のうち、上３つの化粧板材５は、単にドア本体３の外面側を化粧する非開閉の化粧板材５ｃとされている。これら上３つの、非開閉の化粧板材５ｃは、ドア本体３の外面に固定されている。
なお、複数の化粧板材５のうち、外扉５ａ，５ｂである化粧板材５と、非開閉の化粧板材５ｃは、図１に示すように、上下・左右の寸法が等しい。さらに、本実施形態においては、各板材５ａ，５ｂ，５ｃの材質も同様であり、略同様の意匠面を有する状態となっている。換言すれば、各板材５ａ，５ｂ，５ｃは、サイズや意匠の面で規格化又は統一化されることで、外扉５ａ，５ｂをカモフラージュしやすくしている。
一方、外扉５ａ，５ｂが、非開閉の化粧板材５ｃと同様に非開閉の化粧板材に見えてしまうと、物品Ａを搬送する宅配業者等が判別できないため、外扉５ａ，５ｂの表面に、開口部４ａ，４ｂの存在を知らせるマーク（目印）等を設けるようにしてもよい。
【００３０】
さらに、複数の化粧板材５には、上下に並んで設けられた５枚の化粧板材５と並んで、かつドア本体３の上下方向に亘って設けられた縦長の化粧板材５ｄも含まれているものとする。そして、この縦長の化粧板材５ｄには、ドアハンドル３ａ及び錠３ｂ，３ｃが設けられている。
【００３１】
外扉５ａ，５ｂは、図２に示すように、下端部を中心にして前後方向（屋内外方向）に回転するように構成されている。すなわち、外扉５ａ，５ｂの下端部には図示しない回転軸があり、外扉５ａ，５ｂは、当該回転軸を中心にして回転し、開口部４ａ，４ｂを開閉することができる。
【００３２】
また、外扉５ａ，５ｂは、当該外扉５ａ，５ｂの周縁部が、開口部４ａ，４ｂの周縁部よりも面方向外側に位置する大きさに設定されている。
すなわち、図１に示すように、外扉５ａ，５ｂにおける上下・左右の寸法が、開口部４ａ，４ｂにおける上下・左右の寸法よりも長く設定されている。したがって、外扉５ａ，５ｂの面積が、開口部４ａ，４ｂの開口面積よりも大きく設定されている。これにより、外扉５ａ，５ｂは、屋内側には回転できない状態となっている。
【００３３】
収納部６は、開口部４ａ，４ｂから搬入された物品Ａを収納可能なボックスであり、少なくとも上端部が開放されている。そして、物品搬入時には外扉５ａ，５ｂと連動して前方に回転し、物品搬出時には単独で後方に回転するように構成されている。
また、収納部６は、開口部４ａ，４ｂを通過可能な大きさに設定されており、物品Ａの搬入に際して外扉５ａ，５ｂ及び収納部６を回転させた時に、開口部４ａ，４ｂの周縁部に接触しないようになっている。
また、このような収納部６は、ドア本体３に付属した状態となっているので、例えばドア装置１の脇に宅配ボックスを設置するような場合に比して、屋内スペースの有効活用に貢献できる。そのため、このようなドア装置１は、例えば狭小住宅やマンション等の建物にも好適に導入することができる。
【００３４】
なお、外扉５ａ，５ｂ及び収納部６は、これら外扉５ａ，５ｂ及び収納部６を屋外側に回転させた際に、収納部６の上端部における開放部から物品Ａを搬入可能な範囲まで開くように構成されている。すなわち、外扉５ａ，５ｂ及び収納部６は、屋外側に開きすぎないように設定されており、これにより、セキュリティ性の向上を図っている。
【００３５】
また、収納部６に収納された物品Ａが重量物であった場合、ドア枠２及びドア本体３には、その物品Ａの重量の負担がかかることになる。このような負担を軽減するために、開口部４ａ，４ｂにおける左右方向の中心部が、ドア本体３における左右方向の中心部よりも吊元側に位置した状態となっている。さらに、３つの蝶番２ａのうち、２つの蝶番２ａが開口部４ａの上端縁よりも上方に位置した状態となっている。
【００３６】
ロック機構は、収納部６に物品Ａを収納した後に、外扉５ａ，５ｂを開閉できないようにロックするためのものである。本実施形態におけるロック機構は、収納部６に物品Ａが収納されたことを検知する検知部（図示せず）が設けられ、当該検知部が物品Ａの重量を検知した時に、外扉５ａ，５ｂをロックする構成となっている。したがって、住宅の居住者が、屋内側から物品Ａを取り出せば、検知部による物品Ａの重量の検知が解除され、外扉５ａ，５ｂは再び解錠状態となる。
なお、外扉５ｂ，５ｃが解錠状態の時には、収納部６を屋内側に回転させられない構成をロック機構に組み込んでもよいものとする。
【００３７】
以上のように構成されたドア装置１を使用する際は、まず、宅配業者等が外扉５ａ，５ｂを開けて収納部６に物品Ａを収納し、その後、外扉５ａ，５ｂを閉める。この時、ロック機構によって外扉５ａ，５ｂにロックがかかり、屋外からは外扉５ａ，５ｂを開けられないようになる。
その後、住宅の居住者が、収納部６を屋内側に傾けて物品Ａを取り出し、物品Ａを取り出したら、収納部６を元に戻すように操作する。この時、ロック機構によって外扉５ａ，５ｂのロックが外れ、屋外から外扉５ａ，５ｂを開けられるようにすることができる。
【００３８】
本実施形態によれば、ドア本体３の外面側に並べられて設けられた複数の化粧板材５（５ａ，５ｂ，５ｃ，５ｄ）のうち、いずれかの化粧板材５（５ａ，５ｂ）が、物品搬入用の開口部４ａ，４ｂを開閉可能に覆い隠す外扉５ａ，５ｂとされているので、外扉５ａ，５ｂとされた化粧板材５が、他の化粧板材５ｃによってカモフラージュされた状態となる。これにより、例えば来訪者がドア装置１を見た場合であっても、開口部４ａ，４ｂの存在を知らない来訪者に対しては、開口部４ａ，４ｂの存在を認識させにくくすることができるので、セキュリティ性を向上させることが可能となる。
さらに、規格化又は統一化された複数の化粧板材５が、ドア本体３の外面側に並べられて設けられているので、ドア装置１自体の意匠性を向上させることができる。
【００３９】
また、外扉５ａ，５ｂは、当該外扉５ａ，５ｂの周縁部が、開口部４ａ，４ｂの周縁部よりも面方向外側に位置する大きさに設定されているので、外扉５ａ，５ｂによって開口部４ａ，４ｂの全体を覆い隠すことができる。そのため、開口部４ａ，４ｂの存在をより認識させにくくすることができる。
【００４０】
また、開口部４ａ，４ｂにおける左右方向の中心部は、ドア本体３における左右方向の中心部よりも吊元側に位置しているので、例えばドア本体３に対して開口部４ａ，４ｂから搬入された物品Ａを収納可能な収納部６が設けられた場合であって、かつ、収納部６に収納された物品Ａが重量物であっても、その物品Ａの重量によってドア枠２やドア本体３に構造的な問題は生じにくくなる。すなわち、ドア本体３が吊元とは反対側（手先側）に傾きにくくなるので、ドア枠２に歪みが生じにくくなる。
【００４１】
また、回転軸を構成する蝶番２ａは、ドア枠２とドア本体３との間の上下方向に少なくとも三つ以上設けられ、これら三つ以上の蝶番２ａのうち、少なくとも二つ以上の蝶番２ａが開口部４ａ，４ｂの上端縁よりも上方に位置しているので、物品Ａの重量の負担がかかるドア枠２とドア本体３との間の上部側を、複数の蝶番２ａによって連結することができる。これにより、ドア本体３が吊元とは反対側（手先側）により傾きにくくなるので、ドア枠２に歪みが生じにくくなり、ドア枠２やドア本体３に構造的な問題が生じにくくなる。
【００４２】
なお、以上のようなドア装置１は、このドア装置１の脇に宅配ボックスを設置するような場合とは異なり、宅配ボックスを設置するスペースを必要としないので、ドア装置１を取り付けることが可能な全ての建物に適用できる。したがって、既設の建物であっても、既存のドア装置と交換するだけで、以上のようなドア装置１を導入することができる。
また、既存のドア装置が木製である場合には、例えば金属製のドア装置に比して加工が容易であるため、既存の木製ドア装置の必要箇所に開口部４ａ，４ｂを形成することができる。そして、既存の木製ドア装置の外面側に複数の化粧板材５を並べて設け、そのうち、開口部４ａ，４ｂの位置の化粧板材５を外扉５ａ，５ｂとすれば、以上のようなドア装置１をリフォームで形成することが可能となる。
【００４３】
［第２実施形態］
次に、図３〜図６を参照して本発明の第２実施形態について説明する。なお、説明の便宜上、上述した第１実施形態とは異なる構成部分のみについて説明する。
【００４４】
本実施形態のドア装置１０は、住宅等の建物における出入用開口部（図示せず）に設けられ、当該出入用開口部を開放・閉塞するものであり、本実施形態においては、回転軸を中心にして回転する片開き戸である。
このようなドア装置１０は、図示しないドア枠と、ドア本体１３と、収納部１６と、内扉１７と、ロック機構１８と、を備えている。なお、ドア本体１３は、上述の第１実施形態と同様に、回転軸を構成する蝶番（図示せず）を介してドア枠に取り付けられている。
【００４５】
ドア本体１３には、物品搬入用の開口部１４が複数形成されている。これら複数の開口部１４（１４ａ，１４ｂ，１４ｃ）は、ドア本体１３に対し、上下に並んで形成されており、ドア本体１３によって出入用開口部が閉塞された状態で屋外と屋内とを連通することができる。なお、本実施形態においては、３つの開口部１４ａ，１４ｂ，１４ｃがドア本体１３に対して上下に並んで形成されている。
【００４６】
また、ドア本体１３には、錠１３ｂ，１３ｃの近傍に位置し、ドア本体３の開閉時に人が把持するドアハンドル１３ａが設けられている。
下側の錠１３ｃは、上側の錠１３ｂに対して下方に位置しており、さらに、屋内側に設けられて着脱可能に構成されたサムターンを有する。
【００４７】
ドア本体１３の外面側には、複数の化粧板材１５（１５ａ，１５ｂ，１５ｃ，１５ｄ，１５ｅ）が並べられて設けられている。
そして、これら複数の化粧板材１５のうち、いずれかの化粧板材が、物品搬入用の開口部１４ａ，１４ｂ，１４ｃを開閉可能に覆い隠す外扉１５ａ，１５ｂ，１５ｃとされている。
本実施形態においては、ドア本体１３の下部に開口部１４ａ，１４ｂ，１４ｃが形成されており、これら開口部１４ａ，１４ｂ，１４ｃのそれぞれを覆い隠すようにして外扉１５ａ，１５ｂ，１５ｃが設けられている。すなわち、本実施形態においては、図３に示すように、上下に並んで設けられた６枚の化粧板材５のうち、下３つの化粧板材５が、外扉１５ａ，１５ｂ，１５ｃとされている。
【００４８】
また、上下に並んで設けられた６枚の化粧板材１５のうち、上３つの化粧板材１５は、単にドア本体１３の外面側を化粧する非開閉の化粧板材１５ｄとされている。これら上３つの、非開閉の化粧板材１５ｄは、ドア本体１３の外面に固定されている。
なお、複数の化粧板材１５のうち、外扉１５ａ，１５ｂ，１５ｃである化粧板材１５と、非開閉の化粧板材１５ｄは、図３（ａ）に示すように、上下・左右の寸法が等しい。さらに、本実施形態においては、各板材１５ａ，１５ｂ，１５ｃ，１５ｄの材質も同様であり、略同様の意匠面を有する状態となっている。換言すれば、各板材１５ａ，１５ｂ，１５ｃ，１５ｄは、サイズや意匠の面で規格化又は統一化されることで、外扉１５ａ，１５ｂ，１５ｃをカモフラージュしやすくしている。
【００４９】
さらに、複数の化粧板材１５には、上下に並んで設けられた６枚の化粧板材１５と並んで、かつドア本体１３の上下方向に亘って設けられた縦長の化粧板材１５ｅも含まれているものとする。そして、この縦長の化粧板材１５ｅには、ドアハンドル１３ａ及び錠１３ｂ，１３ｃが設けられている。
【００５０】
外扉１５ａ，１５ｂ，１５ｃは、図４に示すように、下端部を中心にして前後方向（屋内外方向）に回転するように構成されている。すなわち、外扉１５ａ，１５ｂ，１５ｃの下端部には図示しない回転軸があり、外扉１５ａ，１５ｂ，１５ｃは、当該回転軸を中心にして回転し、開口部１４ａ，１４ｂ，１４ｃを開閉することができる。
外扉１５ａ，１５ｂ，１５ｃは、アームストッパー１５ｆによって回転角度が規制されている。本実施形態においては、上方の外扉１５ａは、下２つの外扉１５ｂ，１５ｃに比して回転角度が小さくなるように設定されている。すなわち、上方の外扉１５ａは、下２つの外扉１５ｂ，１５ｃに比して開きすぎない設定となっている。
【００５１】
また、外扉１５ａ，１５ｂ，１５ｃは、当該外扉１５ａ，１５ｂ，１５ｃの周縁部が、開口部１４ａ，１４ｂ，１４ｃの周縁部よりも面方向外側に位置する大きさに設定されており、屋内側には回転できない状態となっている。
【００５２】
収納部１６は、ドア本体１３に設けられ、開口部１４ａ，１４ｂ，１４ｃから搬入された物品Ａを収納可能とされている。また、収納部１６は、天板、底板、側板を備え、ドア本体１３の内面側に突出して形成されている。さらに、収納部１６は、開口部１４ａ，１４ｂ，１４ｃ（ドア本体１３の厚み分のスペース）を含んで構成されている。
収納部１６は、ドア本体１３に付属した状態となっており、屋内スペースの有効活用に貢献できる。
【００５３】
また、この収納部１６は、天板１６０、底板１６１、側板１６２、棚板１６３、背板１６４によって複数の領域１６ａ，１６ｂ，１６ｃに区画され、開口部１４ａ，１４ｂ，１４ｃとは反対側の端部が物品搬出口１６ｄ，１６ｅ，１６ｆとして開口している。より詳細には、収納部１６の屋内側に背板１６４があり、この背板１６４に、物品搬出口１６ｄ，１６ｅ，１６ｆが形成された状態となっている。
換言すれば、開口部１４ａ，１４ｂ，１４ｃ及び物品搬出口１６ｄ，１６ｅ，１６ｆは、収納部１６の複数の領域１６ａ，１６ｂ，１６ｃに対応して複数設けられている。さらに、外扉１５ａ，１５ｂ，１５ｃも、複数の開口部１４ａ，１４ｂ，１４ｃに対応して複数用いられていることとなる。
【００５４】
なお、外扉１５ａ，１５ｂ，１５ｃは、これら外扉１５ａ，１５ｂ，１５ｃを屋外側に回転させた際に、上述のアームストッパー１５ｆによって回転が規制されつつ、開口部１４ａ，１４ｂ，１４ｃから収納部１６の各領域１６ａ，１６ｂ，１６ｃ内に物品Ａを搬入可能な範囲まで開くように構成されている。
収納部１６のうち、最も上方に位置する領域１６ａは、本実施形態においては、郵便ポストとして利用されている。そのため、この領域１６ａを開閉する外扉１５ａは、郵便物又は新聞等が投入できればよい。したがって、最も上方に位置する外扉１５ａは、下２つの領域１６ｂ，１６ｃの開口部１４ｂ，１４ｃを開閉する外扉１５ｂ，１５ｃよりも回転角度が小さくなるように構成されている。
【００５５】
また、ドア本体１３に設けられた錠１３ｂ，１３ｃは、人が操作しやすい高さに配置されているが、特に、上側の錠１３ｂは、ドア本体１３のうち、最も上方に位置する外扉１５ａのある高さに配置され、下側の錠１３ｃは、ドア本体１３のうち、上から２番目の外扉１５ｂのある高さに配置されている。
すなわち、上述のように、最も上方に位置する外扉１５ａは回転角度が小さくなるように構成されているため、屋外側から人の手が入りにくく、錠１３ｂにおける屋内側のサムターンまで人の手が届かないようになっている。これにより、セキュリティ性の向上を図ることができる。
また、下側の錠１３ｃは、上述のように、屋内側のサムターンが着脱可能であるため、錠１３ｃが、物品Ａが搬入可能な範囲まで開く外扉１５ｂのある高さに配置されていても、サムターンを取り外せばセキュリティ性の向上を図ることができる。
【００５６】
内扉１７は、収納部１６における物品搬出口１６ｄ，１６ｅ，１６ｆ側の端部に設けられ、これら物品搬出口１６ｄ，１６ｅ，１６ｆを開閉するものであり、本実施形態においては、複数設けられた物品搬出口１６ｄ，１６ｅ，１６ｆを一括で開閉可能な大きさに設定されている。
なお、図４に示すように、内扉１７の下端部は、収納部１６の下端部よりも上方に位置しているが、収納部１６の最も下方に位置する領域１６ｃにおける物品搬出口１６ｆは、内扉１７によって閉塞される位置に形成されているものとする。換言すれば、物品搬出口１６ｆの開口範囲は、内扉１７によって閉塞可能な範囲までであり、背板１６４のうち、内扉１７よりも下方に位置する部位は、図４に示すように、屋内側に露出している。このように内扉１７が、収納部１６の下端部まで到達しないのは、玄関に置かれる靴の高さを想定したためであり、このように内扉１７の下端部を、収納部１６の下端部まで到達しない構成とすることにより、内扉１７の開閉が靴によって妨げられるのを防ぐことができるようになっている。また、仮に、内扉１７の下端部が、収納部１６の下端部まで到達していると、靴が当たりやすくなり、内扉１７の開閉に支障が出やすくなるが、このように内扉１７の下端部が、収納部１６の下端部まで到達しない構成となっていれば、内扉１７の開閉に支障が出にくいという利点もある。また、背板１６４が鋼製であれば、屋内側の衝撃から内部の物品Ａを保護できるので好ましい。
【００５７】
なお、図５に示す収納部１６Ａは、物品Ａを収納するための二つの領域１６Ａａ，１６Ａｂを備えており、内扉１７Ａによって屋内側の物品搬出口が開閉可能となっている。図５の収納部１６Ａは、その下端部が、図３，図４に示す収納部１６の下端部よりも上方に位置している。一方、上端部は、図３，図４に示す収納部１６の上端部と略等しい高さに位置している。
このような収納部１６Ａによれば、下端部が、靴が当たりにくい高さに位置しているので、内扉１７Ａの開閉が靴によって妨げられるのを防ぐことができるとともに、内扉１７Ａの開閉に支障が出にくい。
【００５８】
内扉１７は、図６に示すように、ドア本体１３の内面に設けられたドアハンドル１３ａに向かうにつれて、ドア本体１３の内面側に傾斜（又は湾曲）するように形成されている。この内扉１７は、当該内扉１７におけるドアハンドル１３ａ側の端部の延長線上に、ドアハンドル１３ａが位置するように傾斜（又は湾曲）している。
収納部１６は、内扉１７がこのように形成されているため、その奥行き寸法が、内扉１７の形状に合わせ、ドアハンドル１３ａに向かうにつれて狭くなり、ドアハンドル１３ａから離れるにつれて広くなっている。
また、内扉１７は、アームストッパー１７ａによって回転角度が規制されている。
【００５９】
収納部１６の領域１６ｂ，１６ｃには、図４，図６に示すように、平面視において内扉１７の傾斜（又は湾曲）に沿って形成された帯状のガイド１９が設けられている。このガイド１９は、その両端部が、外扉１５ｂ，１５ｃの内側面に取り付けられており、外扉１５ｂ，１５ｃの開閉に伴って移動するように構成されている。
収納部１６は、上述のように、その奥行き寸法が、内扉１７の形状に合わせ、ドアハンドル１３ａに向かうにつれて狭くなり、ドアハンドル１３ａから離れるにつれて広くなっている。そのため、ドアハンドル１３ａから離れた広いスペースに搬入・収納すべき物品Ａを、ドアハンドル１３ａに近い方の狭いスペースに搬入・収納しようとした時に、ガイド１９が物品Ａに接触するようになっており、宅配業者等が無理に物品Ａを狭い方に搬入・収納することを防ぐことができるようになっている。
換言すれば、ガイド１９は、収納部１６における各領域１６ｂ，１６ｃの輪郭を規定するものであり、物品Ａを無理なく収納することができる。これにより、物品Ａの搬入後、外扉１５ｂ，１５ｃを閉めた際に、物品Ａが変形したり破損したりすることを防ぐことができる。
【００６０】
ロック機構１８は、図４及び図６に示すように、下２つの外扉１５ｂ，１５ｃ用のロック１８ａと、内扉１７用のロック１８ｂと、を有しており、下２つの外扉１５ｂ，１５ｃの解錠時には内扉１７が施錠状態となり、内扉１７の解錠時には下２つの外扉１５ｂ，１５ｃが施錠状態となるように構成されている。したがって、宅配業者等が物品Ａを開口部１４ａ，１４ｂから収納部１６ｂ，１６ｃに入れる際には、内扉１７がロック１８ｂによってロックされて、物品搬出口１６ｅ，１６ｆが閉塞される。一方、住宅の居住者が、物品搬出口１６ｅ，１６ｆから物品Ａを取り出す際は、外扉１５ａ，１５ｂがロック１８ａによってロックされて、開口部１４ａ，１４ｂが閉塞されることとなる。
なお、収納部１６が、各領域１６ｂ，１６ｃにおける物品Ａの有無を検知する検知部（図示せず）を備え、ロック機構１８と連動するようにしてもよい。すなわち、検知部によって物品Ａが各領域１６ｂ，１６ｃに収納されている状態では、外扉１５ｂ，１５ｃ用のロック１８ａが外れないように設定することで、セキュリティ性の向上を図ることが可能となる。
また、最も上方に位置する外扉１５ａは、回転角度が小さく、郵便ポストとして利用されるため、ドアキャッチ１５ｇ等の専用金具によって、開口部１４ａの閉塞状態を保てるようになっている。
【００６１】
以上のように構成されたドア装置１０を使用する際は、まず、宅配業者等が外扉１５ｂ，１５ｃを開けて収納部１６の各領域１６ｂ，１６ｃに物品Ａを収納し、その後、外扉１５ｂ，１５ｃを閉める。この時、ロック機構１８のロック１８ａによって外扉１５ｂ，１５ｃにロックがかかり、屋外からは外扉１５ｂ，１５ｃを開けられないようになる。
その後、住宅の居住者が、内扉１７を開けて各領域１６ｂ，１６ｃから物品Ａを取り出し、物品Ａを取り出したら、内扉１７を閉めるように操作する。この時、ロック機構１８のロック１８ａによって外扉１５ｂ，１５ｃのロックが外れ、屋外から外扉１５ｂ，１５ｃを開けられるようにすることができる。
【００６２】
本実施形態によれば、上述した第１実施形態と同じ効果を得ることができる。さらに、外扉１５ｂ，１５ｃの解錠時には内扉１７が施錠状態となり、内扉１７の解錠時には外扉１５ｂ，１５ｃが施錠状態となるロック機構１８を備えるので、物品Ａの搬入時には内扉１７が施錠状態となり、物品Ａの搬出時には外扉１５ｂ，１５ｃが施錠状態となる。そのため、物品Ａの搬入時及び搬出時におけるセキュリティ性の向上を図ることができる。
【００６３】
また、外扉１５ａ，１５ｂ，１５ｃは、複数設けられた開口部１４ａ，１４ｂ，１４ｃに対応して複数用いられ、内扉１７は、複数設けられた物品搬出口１６ｄ，１６ｅ，１６ｆを一括で開閉可能な大きさに設定されているので、内扉１７によって、複数の物品搬出口１６ｄ，１６ｅ，１６ｆを一括で開閉することができる。これにより、収納部１６における複数の領域１６ａ，１６ｂ，１６ｃのどこに物品が収納されているかに関わりなく内扉１７を開けて、収納部１６に収納された物品Ａを搬出することができるため、利便性に優れる。
【００６４】
また、収納部１６は、ドア本体１３の内面側に突出して形成されており、内扉１７は、ドア本体１３の内面に設けられたドアハンドル１３ａに向かうにつれて内面側に傾斜するように形成されているので、収納部１６がドア本体１３の内面側に突出して形成されていても、当該収納部１６がドアハンドル１３ａの操作の妨げになりにくくなる。また、収納部１６における奥行き寸法が、内扉１７の形状に合わせ、ドアハンドル１３ａに向かうにつれて狭くなり、ドアハンドル１３ａから離れるにつれて広くなるので、様々な大きさ（奥行き寸法）の物品Ａに対応した収納を行うことができる。
【００６５】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００６６】
〔変形例１〕
本変形例のロック機構は、図７，図８に示すように、ドア装置２０に適用されている。ドア装置２０は、図示しないドア枠と、ドア本体２３と、収納部２６と、内扉２７と、本変形例のロック機構２８と、を備えている。なお、ドア本体２３は、上述の第１及び第２実施形態と同様に、回転軸を構成する蝶番（図示せず）を介してドア枠に取り付けられている。
【００６７】
ドア本体２３には、物品搬入用の開口部２４が形成されており、この開口部２４を通じて、屋外と屋内とを連通することができる。
また、ドア本体２３の外面側には、複数の化粧板材２５が並べられて設けられている。そして、これら複数の化粧板材２５のうち、いずれかの化粧板材２５が、物品搬入用の開口部２４を開閉可能に覆い隠す外扉２５ａとされている。
なお、外扉２５ａは、下端部を中心にして前後方向（屋内外方向）に回転するように構成されている。すなわち、外扉２５ａの下端部には図示しない回転軸があり、外扉２５ａは、当該回転軸を中心にして回転し、開口部２４を開閉することができる。
【００６８】
収納部２６は、ドア本体２３に対し、ドア本体２３の厚み分のスペースを利用して形成されており、開口部２４から搬入された物品Ａを収納可能とされている。
収納部２６における屋内側端部は物品搬出口２６ａとして開口しており、収納部２６における屋内側端部には、物品搬出口２６ａを開閉する内扉１７が設けられている。
【００６９】
内扉２７は、ドア本体２３に対し、図示しない蝶番を介して回転可能に取り付けられている。なお、内扉２７とドア本体２３との連結箇所（蝶番の位置）は、後述する受け部２８ｃが取り付けられた箇所とは反対側の端部である。
内扉２７のロックは、本変形例のロック機構２８以外のロック機構で行われるものとされており、本変形例においては、住宅の居住者による手動で内扉２７の施錠・解錠を行うことができるようになっている。また、これに限られるものではなく、外扉２５ａの解錠時に内扉２７が施錠状態となり、内扉２７の解錠時に外扉２５ａが施錠状態となるような構成でもよいし、物品Ａが収納部２６に収納されたことを解錠の契機とするような構成でもよい。
【００７０】
ロック機構２８は、外扉２５ａのロック（施錠・解錠）を行うためのものであり、外扉２５ａ側に設けられたロック本体２８ａ及び操作レバー２８ｂと、内扉２７側に設けられた受け部２８ｃと、を有する。
【００７１】
ロック本体２８ａは、外扉２５ａに取り付けられ、外扉２５ａの内側面（収納部２６側面）に突出して形成されている。
ロック本体２８ａは、図示はしないが、外扉２５ａを施錠する時に当該ロック本体２８ａとドア本体２３とを係合状態とし、外扉２５ａを解錠する時に当該ロック本体２８ａとドア本体２３とを非係合状態とする係合構造部を含んで構成されている。
【００７２】
操作レバー２８ｂは、ロック本体２８ａにおける係合構造部を操作するためのものであり、ロック本体２８ａに設けられて、その傾き度合いによって係合構造部を操作でき、外扉２５ａの施錠・解錠を切り替えることができる。
操作レバー２８ｂは、係合構造部に連結されるとともに上下方向に回動可能とされ、かつ略「へ」の字状に形成された棒状部２８ｄと、棒状部２８ｄの先端に取り付けられた側面視円形の把持部２８ｅと、を備える。
図７（ｂ）に示すように、操作レバー２８ｂが立ち上がった状態では外扉２５ａが解錠状態となり、倒された状態では外扉２５ａが施錠状態となる。操作レバー２８ｂが倒された状態（すなわち、外扉２５ａの施錠状態。）は２段階あり、どちらの段階でも外扉２５ａを施錠状態とすることができる。つまり、操作レバー２８ｂが倒された状態は、遊びがある状態に設定されている。
なお、説明の便宜上、操作レバー２８ｂが最下方まで倒された段階を「施錠１」とし、その上方に当たる段階を「施錠２」とする。
【００７３】
受け部２８ｃは、内扉２７の幅方向一端部に取り付けられ、内扉２７によって物品搬出口２６ａを閉塞した時にロック本体２８ａと対向するように配置されている。
受け部２８ｃは、操作レバー２８ｂの把持部２８ｅが接触する受け面２８ｆ及び垂直面２８ｇを有しており、外扉２５ａの施錠状態において把持部２８ｅが、受け面２８ｆに接触するように設定されている。なお、受け面２８ｆは、外扉２５ａ側に向かうにつれて下り勾配となる傾斜面とされている。垂直面２８ｇは、内扉２７を閉める際に把持部２８ｅが接触する面とされている。
【００７４】
以上のように構成されたロック機構２８によるロックの手順は、図８に示すように、Ｐ１〜Ｐ１０の順番で、かつループ状に行われる。
【００７５】
図７に示す手順Ｐ１は、初期状態、すなわち物品Ａの搬入を待機している状態を示しており、外扉２５ａが解錠状態で、内扉２７が施錠状態となっている。外扉２５ａは解錠状態であるため、操作レバー２８ｂは立ち上がった状態となっている。
【００７６】
手順Ｐ２は、外扉２５ａが屋外側に傾けられて開口部２４が開放され、物品Ａが開口部２４から収納部２６に搬入される状態を示している。
【００７７】
手順Ｐ３は、物品Ａが収納部２６に搬入された後に、操作レバー２８ｂが「施錠１」の段階まで倒された状態を示している。
なお、操作レバー２８ｂを倒す操作は、本変形例では宅配業者等が行うものとするが、これに限られるものではなく、外扉２５ａの開閉及び物品Ａの搬入に支障のない位置に設けられる操作レバー２８ｂ用の倒し機構によって操作できるようにしてもよい。
また、この手順Ｐ３では、外扉２５ａによって開口部２４が完全に閉塞されておらず、施錠は完了していない状態となっている。
【００７８】
手順Ｐ４は、外扉２５ａによって開口部２４を閉塞するとともに物品Ａを収納部２６に収納している状態を示している。この時、操作レバー２８ｂの把持部２８ｅが、受け部２８ｃの受け面２８ｆに接触する。
なお、この手順Ｐ４では、外扉２５ａによって開口部２４が完全に閉塞されておらず、施錠は完了していない状態となっている。
【００７９】
手順Ｐ５は、外扉２５ａによって開口部２４を閉塞するとともに物品Ａを収納部２６に収納している状態であって、かつ、手順Ｐ４よりも進行した状態を示している。この手順Ｐ５では、操作レバー２８ｂの把持部２８ｅが、受け面２８ｆ上を上方に向かって摺動しており、これに伴って、操作レバー２８ｂ自体が徐々に立ち上がるような状態となっている。
なお、この手順Ｐ５では、外扉２５ａによって開口部２４が完全に閉塞されておらず、施錠は完了していない状態となっている。
【００８０】
手順Ｐ６は、外扉２５ａによって開口部２４が完全に閉塞され、さらに操作レバー２８ｂの把持部２８ｅが、受け部２８ｃの上方に位置した状態となっている。すなわち、操作レバー２８ｂが「施錠２」の段階まで戻り、外扉２５ａの施錠が完了した状態となっている。
【００８１】
手順Ｐ７は、住宅の居住者が内扉２７を解錠状態として当該内扉２７を開けて、物品搬出口２６ａを開放させている状態を示している。この時、操作レバー２８ｂの把持部２８ｅが受け面２８ｆ上を下方に向かって摺動し、操作レバー２８ｂ自体が徐々に下がるように回転動作する。
【００８２】
手順Ｐ８は、住宅の居住者が更に内扉２７を開けて、物品搬出口２６ａから物品Ａを搬出する状態を示している。この時、操作レバー２８ｂの把持部２８ｅは、受け部２８ｃの受け面２８ｆから離間しており、操作レバー２８ｂ自体も「施錠１」の段階まで下がった状態となっている。
【００８３】
手順Ｐ９は、物品Ａを搬出した後、住宅の居住者が内扉２７を閉めて、物品搬出口２６ａを閉塞している状態を示している。
操作レバー２８ｂは、手順Ｐ８の時に「施錠１」の段階まで下がった状態となっているので、把持部２８ｅも「施錠１」の段階まで下がっている。そのため、内扉２７によって物品搬出口２６ａを閉塞しようとすると、把持部２８ｅが受け部２８ｃの垂直面に接触し、それ以上、内扉２７を閉めることができない状態となる。
【００８４】
そこで、住宅の居住者は、手順Ｐ１０において操作レバー２８ｂを完全に立ち上げて、外扉２５ａを解錠状態とする。その後、内扉２７を閉めて物品搬出口２６ａを閉塞し、内扉２７を施錠する。手順Ｐ１０が完了すると、手順Ｐ１と同様の状態に戻るため、次に来訪した宅配業者等が、また新たに物品Ａを搬入することが可能となる。
以上のようにして、ロック機構２８による外扉２５ａのロックがループ状に行われる。
【００８５】
本変形例によれば、物品Ａの搬入時には内扉２７を施錠状態としておくことができ、物品Ａの搬出時には外扉２５ａが施錠状態となる。そのため、物品Ａの搬入時及び搬出時におけるセキュリティ性の向上を図ることができる。
さらに、物品Ａを搬出し、内扉２７を閉める際に、操作レバー２８ｂを立ち上げて外扉２５ａを解錠状態としなければ内扉２７を閉めることができないため、外扉２５ａの解錠し忘れを防止することができる。
【００８６】
〔変形例２〕
図９（ａ）〜図９（ｅ）及び図１０（ａ），（ｂ）のそれぞれは、ドア装置の外面に設けられた複数の化粧板材の変形例を示している。
【００８７】
図９（ａ）に示すドア装置３０は、開口部３４が形成されたドア本体３３の外面側に、３枚の化粧板材３５ａ，３５ｂ，３５ｃが上下に並べられて設けられた構成となっている。
３枚の化粧板材３５ａ，３５ｂ，３５ｃのうち、中央の化粧板材３５ｂは、表面が所謂「メタル調」となっており、上下の化粧板材３５ａ，３５ｃは、表面が所謂「木調」となっている。すなわち、ドア本体の外面側に並べて設けられる複数の化粧板材には、材質や色、質感、手触り等が異なる化粧板材を適宜採用してもよい。
なお、この図９（ａ）に示すドア装置３０においては、中央の化粧板材３５ｂが、開口部３４を開閉可能に覆い隠す外扉とされている。
【００８８】
図９（ｂ）に示すドア装置４０は、開口部４４ａ，４４ｂ，４４ｃが形成されたドア本体４３の外面側に、直角三角形に形成された複数の化粧板材４５ａ〜４５ｈが、２枚一組で矩形状を形成するようにして並べられて設けられた構成となっている。
複数の化粧板材４５ａ〜４５ｈのうち、上から４番目の化粧板材４５ｄが、開口部４４ａを開閉可能に覆い隠す外扉とされている。
また、上から５，６番目に相当する直角三角形の化粧板材４５ｅ，４５ｆは、１枚の化粧板材として形成され、開口部４４ｂを開閉可能に覆い隠す外扉とされている。
さらに、上から７，８番目に相当する直角三角形の化粧板材４５ｇ，４５ｈは、１枚の化粧板材として形成され、開口部４４ｃを開閉可能に覆い隠す外扉とされている。
すなわち、ドア本体の外面側に並べて設けられる複数の化粧板材は、必ずしも矩形状である必要はなく、その他の形状であってもよい。
【００８９】
図９（ｃ）に示すドア装置５０は、開口部５４ａ，５４ｂが形成されたドア本体５３の外面側に、４枚の化粧板材５５ａ，５５ｂ，５５ｃ，５５ｄが上下に並べられて設けられた構成となっている。
４枚の化粧板材５５ａ，５５ｂ，５５ｃ，５５ｄは、正面視において楕円形に形成されている。
これら４枚の化粧板材５５ａ，５５ｂ，５５ｃ，５５ｄのうち、上から３番目の化粧板材５５ｃが、開口部５４ａを開閉可能に覆い隠す外扉とされている。
また、上から４番目の化粧板材５５ｄが、開口部５４ｂを開閉可能に覆い隠す外扉とされている。
すなわち、ドア本体の外面側に並べて設けられる複数の化粧板材は、必ずしも矩形状や三角形のような角を有した形状である必要はなく、円形や波形等の形状であってもよい。
【００９０】
図９（ｄ）に示すドア装置６０は、開口部６４が形成されたドア本体６３の外面側に、３枚の化粧板材６５ａ，６５ｂ，６５ｃが上下・左右に並べられて設けられた構成となっている。
３枚の化粧板材６５ａ，６５ｂ，６５ｃのうち、上２枚の化粧板材６５ａ，６５ｂは、上下方向に長尺に形成され、互いに隣接して配置されている。
また、下１枚の化粧板材６５ｃは、上２枚の化粧板材６５ａ，６５ｂの下方に配置されている。そして、この化粧板材６５ｃが、開口部６４を開閉可能に覆い隠す外扉とされている。
すなわち、ドア本体の外面側に並べて設けられる複数の化粧板材は、必ずしも上下方向に並べられて設けられる必要はなく、左右に並べられて設けられてもよい。
【００９１】
図９（ｅ）に示すドア装置７０は、開口部７４ａ，７４ｂ，７４ｃが形成されたドア本体７３の外面側に、複数の化粧板材７５ａ〜７５ｌが、上下・左右に並べられて設けられた構成となっている。
複数の化粧板材７５ａ〜７５ｌのうち、上から４番目の右側の化粧板材７５ｈが、開口部７４ａを開閉可能に覆い隠す外扉とされている。
また、上から５番目の左右の化粧板材７５ｉ，７５ｊは、１枚の化粧板材として形成され、開口部７４ｂを開閉可能に覆い隠す外扉とされている。
さらに、上から６番目の左右の化粧板材７５ｋ，７５ｌは、１枚の化粧板材として形成され、開口部７４ｃを開閉可能に覆い隠す外扉とされている。
そして、ドアハンドル７３ａ及び錠７３ｂ，７３ｃが、開口部７４ａ，７４ｂ，７４ｃを覆い隠す外扉とされていない化粧板材７５ｅ，７５ｇに設けられている。
すなわち、ドア本体の外面側に並べて設けられる複数の化粧板材は、上下・左右に並べられて設けられてもよく、さらに、ドアハンドル等の付属物が、開口部を覆い隠す外扉とされていない化粧板材に設けられていてもよい。
【００９２】
図１０（ａ）に示すドア装置８０は、開口部８４ａ，８４ｂが形成されたドア本体８３の外面側に、複数の化粧板材８５ａ〜８５ｉが、上下・左右に並べられて設けられた構成となっている。
複数の化粧板材８５ａ〜８５ｉのうち、ドア本体８３の略中央（上から３番目）に位置する化粧板材８５ｄが、開口部８４ａを開閉可能に覆い隠す外扉とされている。
また、上から４番目右側に位置する化粧板材８５ｇが、開口部８４ｂを開閉可能に覆い隠す外扉とされている。
すなわち、ドア本体の外面側に並べて設けられる複数の化粧板材は、上下・左右に並べられて設けられてもよく、さらに、ドア本体表面の範囲内であれば各化粧板材の面積や縦横寸法がバラバラであってもよい。
【００９３】
図１０（ｂ）に示すドア装置９０は、開口部９４ａ，９４ｂが形成されたドア本体９３の外面側に、複数の化粧板材９５ａ〜９５ｆが、上下・左右に並べられて設けられた構成となっている。
複数の化粧板材９５ａ〜９５ｆのうち、上下寸法の長い化粧板材９５ａ，９５ｂが、ドア本体９３の左右側端部に配置されている。そして、これら左右両側の化粧板材９５ａ，９５ｂの間に、その他の化粧板材９５ｃ〜９５ｆが上下に並んで配置されている。
中央側に位置する化粧板材９５ｃ〜９５ｆのうち、上から３番目に位置する化粧板材９５ｅが、開口部９４ａを開閉可能に覆い隠す外扉とされている。
また、上から４番目に位置する化粧板材９５ｆが、開口部９４ｂを開閉可能に覆い隠す外扉とされている。
そして、ドアハンドル９３ａ及び錠９３ｂ，９３ｃが、上下寸法の長い左右の化粧板材９５ａ，９５ｂのうち一方（本変形例では化粧板材９５ａ）に設けられている。
すなわち、ドア本体の外面側に並べて設けられる複数の化粧板材は、上下・左右に並べられて設けられてもよく、さらに、ドア本体表面の範囲内であれば各化粧板材の面積や縦横寸法がバラバラであってもよい。なお、開口部の位置は、ドア本体における左右方向の中心部よりも吊元側に位置した状態となっているが、これに限られるものではなく、ドア本体における左右方向の中心部に位置した状態であってもよい。
【００９４】
本変形例によれば、ドア本体の表面に並べられて設けられた複数の化粧板材は、意匠の面で規格化又は統一化されつつ、いずれかの化粧板材を外扉として利用して開口部を開閉可能に覆い隠すことができるので、セキュリティ性の向上を図りながら、様々なバリエーションのドア装置を提供できるようになっている。
【００９５】
〔変形例３〕
上述の実施形態及び変形例では、ドア装置を片開き戸としたが、これに限られるものではない。本変形例におけるドア装置は、図示はしないが、片開き戸以外の方式で出入用開口部を開閉できるものとされている。すなわち、本変形例におけるドア装置は、両開き戸の一方の戸であってもよいし、引き戸でもよいものとする。
要するに、本発明は、ドア本体に開口部を形成でき、ドア本体の外面側に複数の化粧板材を並べて設け、そのうちいずれかの化粧板材を、開口部を開閉可能に覆い隠す外扉とすることが可能なドア装置であれば適用することができる。
なお、本変形例に限った事項ではないが、外扉は、下端部を中心にして回転するものだけでなく、側端部や上端部を中心にして回動するものであってもよい。
【００９６】
〔変形例４〕
本変形例においては、図１１，図１２に示すように、内扉１７の施錠を、複数の手動式のロック機構１００，１０１によって行うことができるようになっている。
【００９７】
ロック機構１００は、図１１に示すように、いわゆるレバーラッチであり、回動軸を中心に回動するフック部を有するラッチ本体と、フック部を受ける受け座と、を備えたものであり、フック部を指でつまんで受け座への係合状態を解除でき、ロック解除することができる。また、フック部は、弾性力によって指でつままれる前の状態に戻ろうとするため、指を離せばフック部は元の位置に戻る。
【００９８】
ロック機構１０１は、シリンダー錠付きのカムロックであり、図１１，図１２に示すように、収納部１６における側板１６２の上下２箇所に設けられている。すなわち、このロック機構１０１は、側板１６２の外面に露出してツマミを構成し、かつ前記シリンダー錠が具備されたロック本体１０２ａと、ツマミの回動操作によって動作して内扉１７を施錠するためのフック錠１０２ｂと、を備える。ツマミの回動操作は、前記シリンダー錠を解錠状態とすることによって行うことができる。
【００９９】
収納部１６の内部には、搬入・収納された物品Ａによってロック機構１０１の動作が阻害されないように、ロック機構１０１を取り囲む壁１０３が設けられている。当該壁１０３は、ロック機構１０１が配置された側の側板１６２に取り付け固定されている。
また、内扉１７には、フック錠１０２ｂの先端フック部が引っ掛けられる受け部を形成するための壁１０４が設けられている。
双方の壁１０３，１０４における、互いに対向する側面板部同士には、フック錠１０２ｂの先端フック部が通過する開口部１０３ａ，１０４ａがそれぞれ形成されている。そして、内扉１７側の壁１０４における開口部１０４ａの下縁部が、フック錠１０２ｂの先端フック部が引っ掛けられる受け部を構成している。
【０１００】
本変形例によれば、収納部１６に対して複数のロック機構１００，１０１を組み込むことができるので、セキュリティ性を向上させることができる。上記の実施形態におけるロック機構１８，２８と併用することで、セキュリティ性を格段に向上できるので、適宜併用してもよい。
【符号の説明】
【０１０１】
１  ドア装置
２  ドア枠
２ａ  蝶番
３  ドア本体
４ａ  開口部
４ｂ  開口部
５  化粧板材
５ａ  外扉
５ｂ  外扉
６  収納部
１０  ドア装置
１３  ドア本体
１３ａ  ドアハンドル
１４ａ  開口部
１４ｂ  開口部
１４ｃ  開口部
１５  化粧板材
１５ａ  外扉
１５ｂ  外扉
１５ｃ  外扉
１６  収納部
１６ａ  領域
１６ｂ  領域
１６ｃ  領域
１６ｄ  物品搬出口
１６ｅ  物品搬出口
１６ｆ  物品搬出口
１７  内扉
１８  ロック機構
【図１】
2019019603.tif 000003
【図２】
2019019603.tif 000004
【図３】
2019019603.tif 000005
【図４】
2019019603.tif 000006
【図５】
2019019603.tif 000007
【図６】
2019019603.tif 000008
【図７】
2019019603.tif 000009
【図８】
2019019603.tif 000010
【図９】
2019019603.tif 000011
【図１０】
2019019603.tif 000012
【図１１】
2019019603.tif 000013
【図１２】
2019019603.tif 000014